(57)【特許請求の範囲】
【請求項１】
硬貨を収納する硬貨収納部と、
前記硬貨収納部から送り出された硬貨を集積する集積部と、を備え、
前記集積部は、第１の箱と前記第１の箱の内側に着脱可能に設けられる第２の箱とを有し、
前記第２の箱は、硬貨が通過しない程度のサイズの孔部を底面に有し、
前記第１の箱は、前記孔部に差し込まれる突出部を有する、
硬貨処理装置。
【請求項２】
前記第２の箱は、複数の前記孔部を有し、前記第１の箱は、前記孔部と同数の前記突出部を有する、
請求項１に記載の硬貨処理装置。
【請求項３】
前記硬貨処理装置は、前記硬貨収納部から前記集積部に硬貨が送り出される場合に、前記第１の箱から前記第２の箱が抜き取られるまで、前記集積部に硬貨を送り出し可能な返却位置に前記硬貨収納部を配置し続ける制御部を備える、
請求項１に記載の硬貨処理装置。
【請求項４】
前記硬貨処理装置は、前記硬貨収納部から前記集積部への硬貨の送り出しを妨げる位置に移動可能なシャッタを有する、
請求項３に記載の硬貨処理装置。
【請求項５】
前記硬貨処理装置は、金種別出金ホッパから硬貨が繰り出される場合に、前記金種別出金ホッパから硬貨が繰り出される間、前記金種別出金ホッパに硬貨を送り出し可能な収納位置に前記硬貨収納部を配置し続ける制御部を備える、
請求項１に記載の硬貨処理装置。
【請求項６】
前記硬貨処理装置は、前記硬貨収納部から前記金種別出金ホッパへの硬貨の送り出しを妨げる位置に移動可能なシャッタを有する、
請求項５に記載の硬貨処理装置。
【発明の詳細な説明】
【技術分野】
【０００１】
本発明は、硬貨処理装置に関する。
【背景技術】
【０００２】
従来、硬貨を処理する硬貨処理装置が普及している。例えば、硬貨処理装置は、小売店舗、宅配業務拠点などにおいて、釣り銭準備、入出金、担当者ごとの売上金集計、現金の回収などに利用されている。硬貨処理装置は、硬貨が投入される硬貨投入口を有しており、硬貨投入口から投入された硬貨は、硬貨処理装置の内部に収納されたり、集積部から出金されたりする（例えば、特許文献１参照）。
【先行技術文献】
【特許文献】
【０００３】
【特許文献１】特開２０１３−１２２７４４号公報
【発明の概要】
【発明が解決しようとする課題】
【０００４】
しかしながら、利用者が装置本体から集積部を引き出す場合に、集積部に収納されている硬貨が集積部の外側に飛び出してしまうことがある。そこで、集積部に収納されている硬貨が集積部の外側に飛び出す可能性を低減することが可能な技術の提供が望まれる。
【課題を解決するための手段】
【０００５】
上記問題を解決するために、本発明のある観点によれば、硬貨を収納する硬貨収納部と、前記硬貨収納部から送り出された硬貨を集積する集積部と、を備え、前記集積部は、第１の箱と前記第１の箱の内側に着脱可能に設けられる第２の箱とを有し、前記第２の箱は、硬貨が通過しない程度のサイズの孔部を底面に有し、前記第１の箱は、前記孔部に差し込まれる突出部を有する、硬貨処理装置が提供される。
【０００６】
前記第２の箱は、複数の前記孔部を有し、前記第１の箱は、前記孔部と同数の前記突出部を有してよい。
【０００７】
前記硬貨処理装置は、前記硬貨収納部から前記集積部に硬貨が送り出される場合に、前記第１の箱から前記第２の箱が抜き取られるまで、前記集積部に硬貨を送り出し可能な返却位置に前記硬貨収納部を配置し続ける制御部を備えてよい。
【０００８】
前記硬貨処理装置は、前記硬貨収納部から前記集積部への硬貨の送り出しを妨げる位置に移動可能なシャッタを有してよい。
【０００９】
前記硬貨処理装置は、金種別出金ホッパから硬貨が繰り出される場合に、前記金種別出金ホッパから硬貨が繰り出される間、前記金種別出金ホッパに硬貨を送り出し可能な収納位置に前記硬貨収納部を配置し続ける制御部を備えてよい。
【００１０】
前記硬貨処理装置は、前記硬貨収納部から前記金種別出金ホッパへの硬貨の送り出しを妨げる位置に移動可能なシャッタを有してよい。
【発明の効果】
【００１１】
以上説明したように本発明によれば、集積部に収納されている硬貨が集積部の外側に飛び出す可能性を低減することが可能となる。
【図面の簡単な説明】
【００１２】
【図１】本発明の実施形態に係る硬貨処理装置の内部構成の一例を示す概略正面図である。
【図２】本発明の実施形態に係る硬貨処理装置の内部構成の一例を示す概略左側面図である。
【図３】金種別硬貨一時貯留部およびその周辺の拡大図である。
【図４】硬貨返却箱に収納されている硬貨が硬貨返却箱の外側に飛び出してしまった状況を示す図である。
【図５】本発明の第１の実施形態に係る硬貨返却箱の外観を示す側面図である。
【図６】本発明の第１の実施形態に係る硬貨返却箱の外観を示す平面図である。
【図７】内側箱から硬貨を取り出している状況を示す側面図である。
【図８】一般的な金種別出金ホッパの拡大図である。
【図９】金種別硬貨一時貯留部の位置制御の例を説明するための図である。
【図１０】本発明の第２の実施形態の変形例１に係る金種別硬貨一時貯留部およびその周辺の拡大図である。
【図１１】本発明の第２の実施形態の変形例２に係る金種別硬貨一時貯留部およびその周辺の拡大図である。
【発明を実施するための形態】
【００１３】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１４】
また、本明細書および図面において、実質的に同一の機能構成を有する複数の構成要素を、同一の符号の後に異なる数字を付して区別する。また、異なる実施形態の類似する構成要素については、同一の符号の後に異なるアルファベットを付して区別する。ただし、実質的に同一の機能構成を有する複数の構成要素等の各々を特に区別する必要がない場合、同一符号のみを付する。
【００１５】
（１．硬貨処理装置の構成）
図１および図２を参照しながら、本発明の実施形態に係る硬貨処理装置１０の構成（本発明の各実施形態に係る硬貨処理装置１０に共通する構成）の一例について説明する。図１は、本発明の実施形態に係る硬貨処理装置１０の内部構成の一例を示す概略正面図である。また、図２は、本発明の実施形態に係る硬貨処理装置１０の内部構成の一例を示す概略左側面図である。
【００１６】
硬貨処理装置１０は、店舗などに設置されたレジスタで取り扱われる硬貨を管理する。例えば、硬貨処理装置１０は、店舗の係員などがレジスタから運んできた硬貨の入金処理や計数処理を行う。また、硬貨処理装置１０は、レジスタで使用する釣銭準備金としての硬貨の出金や両替などでの硬貨の出金処理を行う。
【００１７】
図１に示すように、本発明の実施形態に係る硬貨処理装置１０は、硬貨投入部２０と、リジェクト硬貨返却部５０と、金種別硬貨一時貯留部（硬貨収納部）６１と、硬貨返却箱６２と、金種別出金ホッパ７０と、搬送ゲート７２と、硬貨出金部８０と、硬貨回収庫８４と、制御部９０とを有する。また、硬貨投入部２０は、硬貨投入口２１と、硬貨繰り出し部２２と、入金搬送路３０と、硬貨認識部４０と、硬貨選別部５６とを有する。以下、これらの各構成について説明する。
【００１８】
硬貨投入口２１は、投入される硬貨Ｃを受ける部分である。硬貨投入口２１は、硬貨処理装置１０の上方、かつ、前面側に位置してよい。硬貨投入口２１は、複数の硬貨が一括して投入され易いように、広く開口している。硬貨投入口２１に投入された硬貨Ｃは、硬貨繰り出し部２２に落下する。硬貨繰り出し部２２は、硬貨投入口２１の下方に位置し、硬貨投入口２１から落下した硬貨Ｃを一枚ずつ入金搬送路３０に繰り出す。入金搬送路３０は、硬貨繰り出し部２２によって繰り出された硬貨Ｃを硬貨認識部４０に搬送する。
【００１９】
硬貨認識部４０は、入金搬送路３０によって搬送された硬貨Ｃの真偽および金種などを一枚ずつ判別する。例えば、硬貨認識部４０は、硬貨Ｃを認識するセンサを有し、センサによって検知された硬貨Ｃの特徴を抽出し、抽出した硬貨Ｃの特徴に基づいて、硬貨Ｃの真偽および金種などを判別する。
【００２０】
硬貨選別部５６は、判別結果に基づいて硬貨Ｃを搬送する。例えば、硬貨選別部５６は、硬貨認識部４０によって正常ではないと判別された硬貨Ｃを、リジェクト硬貨返却部５０に送る。一方、硬貨選別部５６は、硬貨認識部４０によって正常であると判別された硬貨Ｃを、保留部６１ａ〜６１ｆに送る。
【００２１】
リジェクト硬貨返却部５０は、硬貨認識部４０によって正常ではないと判別された硬貨Ｃを収納する。図２を参照すると、正常ではないと判別された硬貨Ｃを硬貨選別部５６からリジェクト硬貨返却部５０へ導くためのリジェクトシュートが配置（図２に示す矢印Ｒのルートで配置）されている。リジェクト硬貨返却部５０は、硬貨処理装置１０の前面に開閉可能な扉５１を有し、扉５１が開いているときに、利用者はリジェクト硬貨返却部５０を装置外へ引き出し可能である。
【００２２】
金種別硬貨一時貯留部６１は、硬貨認識部４０によって正常であると判別された硬貨Ｃを金種別に一時的に収納する。金種別硬貨一時貯留部６１は、金種別の保留部６１ａ〜６１ｆを含む。図２を参照すると、硬貨認識部４０によって正常であると判別された硬貨Ｃを保留部６１ａ〜６１ｆへ導くシュートＱが設けられている。金種別硬貨一時貯留部６１によって収納された硬貨Ｃは、利用者の操作に応じて、硬貨返却箱６２に返却され、または、金種別出金ホッパ７０に収納される。
【００２３】
硬貨返却箱６２は、利用者に返却される硬貨Ｃを収納する。ここで、硬貨返却箱６２による硬貨Ｃの収納は、金種別に行われてもよいし、金種の区別なく一括して行われてもよい。具体的には、硬貨返却箱６２は、金種別硬貨一時貯留部６１が硬貨処理装置１０の背面から正面を見て左方向（紙面上方から図１を見て右方向）に移動する際に、図１に示す矢印Ｈのルートで金種別硬貨一時貯留部６１から落下する硬貨Ｃを収納する。硬貨返却箱６２は、利用者によって硬貨処理装置１０の正面から装置外へ引き出し可能になっている。
【００２４】
金種別出金ホッパ７０は、入金された硬貨Ｃを金種別に収納する。金種別出金ホッパ７０は、上部に、金種別硬貨一時貯留部６１から落下する硬貨Ｃが通過する開口を有する。このため、金種別出金ホッパ７０は、金種別硬貨一時貯留部６１が硬貨処理装置１０の背面から正面を見て右方向（紙面上方から図１を見て左方向）に移動する際に、金種別硬貨一時貯留部６１から図１の矢印Ｓで示すルートで落下する硬貨Ｃを収納する。金種別出金ホッパ７０によって硬貨Ｃが収納されると、硬貨処理装置１０において保有している現金額が確定する。
【００２５】
金種別出金ホッパ７０は、図２に示すように、金種別の保留部６１ａ〜６１ｆに対応するように直線状に並べられた金種別ホッパ７１ａ〜７１ｆによって構成されている。金種別ホッパ７１ａ〜７１ｆは、それぞれ、５００円、１００円、５０円、１０円、５円および１円硬貨のいずれかの１種類の硬貨を収納可能であってよい。また、金種別ホッパ７１ａ〜７１ｆは、それぞれ装置本体に対して着脱可能に装着されている。出金処理の際、利用者によって金種別に硬貨の枚数が指定されると、金種別出金ホッパ７０は、指定された枚数の硬貨を金種別に一枚ずつ硬貨出金部８０に繰り出す。
【００２６】
搬送ゲート７２は、金種別ホッパ７１ａ〜７１ｆそれぞれに対して設けられ、金種別ホッパ７１ａ〜７１ｆから繰り出された硬貨Ｃの搬送ルートを分岐する。具体的には、搬送ゲート７２は、金種別ホッパ７１ａ〜７１ｆから繰り出された硬貨Ｃの搬送ルートを、図１の矢印Ｔで示すルートと矢印Ｕで示すルートとに分岐する。
【００２７】
硬貨出金部８０は、金種別出金ホッパ７０から繰り出された硬貨Ｃを収納することが可能である。硬貨出金部８０は、装置本体に対して着脱可能に設けられていてよい。例えば、硬貨出金部８０は、図１の矢印Ｔで示すルートで金種別出金ホッパ７０から落下する硬貨Ｃを収納する。また、硬貨出金部８０は、金種別に硬貨Ｃを収納する複数の小箱を有してもよい。
【００２８】
硬貨回収庫８４は、利用者によって回収される硬貨を収納する。例えば、硬貨回収庫８４には、搬送ゲート７２により矢印Ｕのルートで搬送された硬貨が収納される。
【００２９】
制御部９０は、硬貨処理装置１０の動作全体を制御する。より具体的には、制御部９０は、硬貨の入金処理や出金処理を行う際に、硬貨処理装置１０の各構成要素の動作を制御する。例えば、硬貨処理装置１０は、硬貨処理装置１０の動作全体を制御するためのプログラムや各種のデータを記憶する記憶部を備えており、制御部９０は、当該記憶部によって記憶されたプログラムを読み出して実行することによって実現され得る。
【００３０】
なお、硬貨処理装置１０の硬貨投入部２０は、開閉可能なカバーを有している。そのため、硬貨入金中に障害が発生した場合には、利用者が硬貨投入部２０のカバーを開き、カバーが開いた箇所からジャム硬貨を取り除くことによって容易に硬貨処理装置１０を復旧させることが可能となっている。
【００３１】
（２．第１の実施形態の説明）
続いて、本発明の第１の実施形態について説明する。図３は、金種別硬貨一時貯留部６１およびその周辺の拡大図である。図３を参照すると、金種別硬貨一時貯留部６１と硬貨返却箱６２および金種別出金ホッパ７０との間にガイド６３が設けられている。そして、金種別硬貨一時貯留部６１は、ガイド６３の上面に沿って移動することが可能である。
【００３２】
金種別硬貨一時貯留部６１は、金種別出金ホッパ７０に硬貨を送り出し可能な位置（以下、「収納位置」とも言う。）Ｐ１、硬貨の送り出しを一時保留する位置（以下、「待機位置」とも言う。）Ｐ０および硬貨返却箱６２に硬貨を送り出し可能な位置（以下、「返却位置」とも言う。）Ｐ２との間で制御部９０の制御に従って移動され得る。
【００３３】
ここで、上記したように、硬貨返却箱６２は、装置本体から引き出され得る。このとき、利用者が装置本体から硬貨返却箱６２を引き出した場合に、硬貨返却箱６２に収納されている硬貨が硬貨返却箱６２の外側に飛び出してしまうことがある。図４は、硬貨返却箱６２に収納されている硬貨が硬貨返却箱６２の外側に飛び出してしまった状況を示す図である。図４に示した例では、硬貨返却箱６２の外側に飛び出した硬貨Ｃが、ガイド６３の上に残留してしまっている。
【００３４】
かかる状況に対処するため、硬貨処理装置１０の取扱説明書に硬貨返却箱６２の引き出しに関する注意事項を記載して、この注意事項を利用者に閲覧させることによって利用者に注意喚起を行うといった策を講じるのが一般的であった。しかし、このような利用者に対する注意換気だけでは、対策としては不十分である。そこで、本発明の第１の実施形態においては、硬貨返却箱６２に収納されている硬貨Ｃが硬貨返却箱６２の外側に飛び出す可能性を低減することが可能な技術を主に提案する。
【００３５】
図５は、本発明の第１の実施形態に係る硬貨返却箱６２の外観を示す側面図である。また、図６は、本発明の第１の実施形態に係る硬貨返却箱６２の外観を示す平面図である。図５および図６に示すように、本発明の第１の実施形態に係る硬貨返却箱６２は、利用者によって把持される把持部６４と、第１の箱（以下、「外側箱」とも言う。）６５と、外側箱６５の内側に着脱可能に設けられる第２の箱（以下、「内側箱」とも言う。）６６と、を有している。
【００３６】
内側箱６６は、金種別硬貨一時貯留部６１から送り出される硬貨Ｃを蓄積する硬貨蓄積部材６６１を有している。また、内側箱６６は、硬貨Ｃが通過しない程度のサイズの孔部６６２を底面に有している。外側箱６５は、孔部６６２に差し込まれる突出部６２２を有している。かかる構成によれば、利用者が装置本体から硬貨返却箱６２を引き出し方向Ｄ１に引き出した場合に、硬貨Ｃの移動が突出部６２２によって妨げられるため、硬貨返却箱６２の外側に硬貨Ｃが飛び出す可能性が低減される。
【００３７】
さらに、外側箱６５の内側に内側箱６６がずれて重ね合わせられると、内側箱６６が外側箱６５から外れてしまったり、硬貨返却箱６２が装置本体に押し込めなくなったりする可能性がある。しかし、孔部６６２および突出部６２２は、外側箱６５の内側に内側箱６６が重ね合わされるときの位置合わせにも用いられ得るため、内側箱６６が外側箱６５から外れてしまったり、硬貨返却箱６２が装置本体に押し込めなくなったりする可能性も低減される。
【００３８】
図７は、内側箱６６から硬貨Ｃを取り出している状況を示す側面図である。図７に示すように、内側箱６６は、利用者によって外側箱６５から取り出される。そして、上記したように、内側箱６６が、硬貨Ｃが通過しない程度のサイズの孔部６６２を底面に有していれば、図７に示すように、利用者は内側箱６６を傾けることによって、孔部６６２から硬貨Ｃを落下させることなく、硬貨蓄積部材６６１の端部から落下させ、容易に硬貨Ｃを回収することが可能である。
【００３９】
なお、孔部６６２および突出部６２２それぞれの数は特に限定されない。しかし、内側箱６６は、複数の孔部６６２を有し、外側箱６５は、孔部６６２と同数の突出部６２２を有しているとよい。そうすれば、利用者が装置本体から硬貨返却箱６２を引き出し方向に引き出した場合に、硬貨Ｃの移動が複数の突出部６２２によって妨げられるため、硬貨返却箱６２の外側に硬貨Ｃが飛び出す可能性がさらに低減される。
【００４０】
また、孔部６６２および突出部６２２それぞれの位置も特に限定されない。しかし、金種別硬貨一時貯留部６１から硬貨返却箱６２に複数金種の硬貨が送り出され、金種によって硬貨返却箱６２における集積位置が異なる場合もある。かかる場合には、複数金種の硬貨のうち、硬貨処理装置１０によって取り扱われる枚数が多い所定の硬貨の移動を妨げるため、所定の硬貨の集積位置の近くに、孔部６６２および突出部６２２が設けられるとよい。
【００４１】
（３．第２の実施形態の説明）
続いて、本発明の第２の実施形態について説明する。図８は、一般的な金種別出金ホッパ７０の拡大図である。硬貨Ｃは、金種別出金ホッパ７０によって繰り出されるときに、金種別出金ホッパ７０の外側に飛び出してしまうことがある。かかる状況に対処するため、図８に示すように、金種別出金ホッパ７０の内部に、硬貨Ｃの飛び出しを妨げるためのストッパ７３が設けられることがある。しかし、ストッパ７３は、金種別硬貨一時貯留部６１から送り出される硬貨Ｃの集積を妨げ、ストッパ７３のスペース確保のために、硬貨処理装置１０のサイズが大きくなりやすい。
【００４２】
そこで、本発明の第２の実施形態においては、金種別出金ホッパ７０によって繰り出されるときに硬貨Ｃが金種別出金ホッパ７０の外側に飛び出してしまう可能性を低減することが可能な技術を提案する。また、本発明の第２の実施形態においては、本発明の第１の実施形態と同様に、硬貨返却箱６２に集積されている硬貨Ｃが硬貨返却箱６２の外側に飛び出す可能性を低減することが可能な技術を主に提案する。
【００４３】
図９は、金種別硬貨一時貯留部６１の位置制御の例を説明するための図である。上記したように、制御部９０は、収納位置Ｐ１、待機位置Ｐ０および返却位置Ｐ２との間で金種別硬貨一時貯留部６１の位置を制御することが可能である。まず、一般的な金種別硬貨一時貯留部６１の位置制御の例を説明する。
【００４４】
一般的には、制御部９０は、硬貨投入口２１から投入された硬貨を金種別出金ホッパ７０に収納させる場合（以下、「入金収納時」と言う。）、金種別硬貨一時貯留部６１を待機位置Ｐ０に移動させ、金種別硬貨一時貯留部６１を待機位置Ｐ０に一時保留させる。そして、制御部９０は、金種別硬貨一時貯留部６１を収納位置Ｐ１に移動させ、金種別硬貨一時貯留部６１から金種別出金ホッパ７０に送り出し、金種別出金ホッパ７０によって硬貨が収納されると、金種別硬貨一時貯留部６１を待機位置Ｐ０に戻す。
【００４５】
また、一般的に、制御部９０は、金種別出金ホッパ７０から硬貨を繰り出す場合（以下、「出金時」と言う。）、金種別硬貨一時貯留部６１を待機位置Ｐ０に配置し続ける。
【００４６】
また、一般的に、制御部９０は、金種別硬貨一時貯留部６１を待機位置Ｐ０に移動させ、金種別硬貨一時貯留部６１を待機位置Ｐ０に一時保留させる。そして、制御部９０は、金種別硬貨一時貯留部６１を返却位置Ｐ２に移動させ、金種別硬貨一時貯留部６１から硬貨返却箱６２に送り出し、硬貨返却箱６２によって硬貨が集積されると、金種別硬貨一時貯留部６１を待機位置Ｐ０に戻す。
【００４７】
続いて、本発明の第２の実施形態に係る金種別硬貨一時貯留部６１の位置制御の例を説明する。
【００４８】
まず、出金時において、制御部９０は、金種別出金ホッパ７０から硬貨が繰り出される間、収納位置Ｐ１に金種別硬貨一時貯留部６１を配置し続けるとよい。そうすれば、金種別出金ホッパ７０からの硬貨の飛び出しが金種別硬貨一時貯留部６１によって妨げられるため、ストッパ７３を設ける必要がなくなることによって、金種別硬貨一時貯留部６１から送り出される硬貨Ｃの集積を妨げてしまう可能性、硬貨処理装置１０のサイズが大きくなる可能性も低減される。
【００４９】
より具体的には、出金時において、制御部９０は、金種別出金ホッパ７０から硬貨が繰り出される前に待機位置Ｐ０から収納位置Ｐ１に金種別硬貨一時貯留部６１を移動させ、金種別出金ホッパ７０から硬貨が繰り出されている間は、収納位置Ｐ１から金種別硬貨一時貯留部６１を移動させないのがよい。そして、制御部９０は、金種別出金ホッパ７０から硬貨が繰り出された後、金種別硬貨一時貯留部６１を待機位置Ｐ０に戻すとよい。
【００５０】
また、入金返却時において、制御部９０は、金種別硬貨一時貯留部６１から硬貨返却箱６２に硬貨が送り出される場合に、外側箱６５から内側箱６６が抜き取られるまで、返却位置Ｐ２に金種別硬貨一時貯留部６１を配置し続けるとよい。そうすれば、硬貨返却箱６２からの硬貨の飛び出しが金種別硬貨一時貯留部６１によって妨げられるため、本発明の第１の実施形態と同様に、硬貨返却箱６２に集積されている硬貨が硬貨返却箱６２の外側に飛び出す可能性を低減することが可能となる。
【００５１】
より具体的には、入金返却時において、制御部９０は、待機位置Ｐ０において硬貨を一時保留させた後、返却位置Ｐ２に金種別硬貨一時貯留部６１を移動させ、硬貨返却箱６２に硬貨を集積させるとよい。そして、制御部９０は、利用者によって外側箱６５から内側箱６６が抜き取られたことが図示しないセンサによって検出された後に、金種別硬貨一時貯留部６１を待機位置Ｐ０に戻すとよい。なお、返却位置Ｐ２に金種別硬貨一時貯留部６１を移動させるためのトリガは限定されず、例えば、制御部９０は、利用者による所定の操作（硬貨返却箱６２を引き出す旨を示す操作）が検出された場合に、返却位置Ｐ２に金種別硬貨一時貯留部６１を移動させてもよい。
【００５２】
（４．第２の実施形態の変形例１の説明）
続いて、本発明の第２の実施形態の変形例１について説明する。図１０は、本発明の第２の実施形態の変形例１に係る金種別硬貨一時貯留部６１およびその周辺の拡大図である。図１０に示すように、本発明の第２の実施形態の変形例１においては、硬貨処理装置１０が、金種別硬貨一時貯留部６１とガイド６３との間にシャッタ６７を有している。
【００５３】
シャッタ６７は、制御部９０の制御に従って、金種別硬貨一時貯留部６１から硬貨返却箱６２への硬貨の送り出しを妨げない位置、かつ、金種別硬貨一時貯留部６１に硬貨を一時保留させる位置（以下、「待機・返却位置」と言う。）ｐ１に移動され得る。シャッタ６７が待機・返却位置ｐ１に配置されている間は、金種別硬貨一時貯留部６１から金種別出金ホッパ７０への硬貨の送り出しが妨げられる。
【００５４】
また、シャッタ６７は、制御部９０の制御に従って、金種別硬貨一時貯留部６１から金種別出金ホッパ７０への硬貨の送り出しを妨げない位置（以下、「収納位置」と言う。）ｐ２に移動され得る。シャッタ６７が収納位置ｐ２に配置されている間は、金種別硬貨一時貯留部６１から硬貨返却箱６２への硬貨の送り出しが妨げられる。
【００５５】
また、第２の実施形態の変形例１においては、金種別硬貨一時貯留部６１が金種別出金出金ホッパ７０に硬貨を送り出し可能な収納位置Ｐ１が、硬貨の送り出しを一時保留する位置も兼ねている。そこで、以下では、かかる位置を「待機・収納位置Ｐ１」と表す。また、第２の実施形態の変形例１においても、金種別硬貨一時貯留部６１は、硬貨返却箱６２に硬貨を送り出し可能な返却位置Ｐ２に移動され得る。
【００５６】
一般的には、入金収納時においては、金種別硬貨一時貯留部６１が待機・収納位置Ｐ１に配置され、シャッタ６７が待機・返却位置ｐ１に配置される。そして、金種別硬貨一時貯留部６１によって、硬貨が一時保留された後、制御部９０は、シャッタ６７を収納位置ｐ２に移動させ、金種別出金ホッパ７０に硬貨を収納させる。そして、金種別出金ホッパ７０に硬貨が収納されると、制御部９０は、シャッタ６７を待機・返却位置ｐ１に戻す。
【００５７】
また、一般的には、出金時においては、金種別硬貨一時貯留部６１は、待機・収納位置Ｐ１に配置されたままであり、シャッタ６７は、待機・返却位置ｐ１に配置されたままである。
【００５８】
また、一般的に、入金返却時においては、金種別硬貨一時貯留部６１が待機・収納位置Ｐ１に配置され、シャッタ６７が待機・返却位置ｐ１に配置される。そして、金種別硬貨一時貯留部６１によって、硬貨が一時保留された後、制御部９０は、金種別硬貨一時貯留部６１を返却位置Ｐ２に移動させ、硬貨返却箱６２に硬貨を集積させる。そして、硬貨返却箱６２に硬貨が集積されると、制御部９０は、金種別硬貨一時貯留部６１を待機・収納位置Ｐ１に戻す。
【００５９】
本発明の第２の実施形態の変形例１においても同様に、入金返却時において、金種別硬貨一時貯留部６１が待機・収納位置Ｐ１に配置され、シャッタ６７が待機・返却位置ｐ１に配置される。そして、金種別硬貨一時貯留部６１によって、硬貨が一時保留された後、制御部９０は、金種別硬貨一時貯留部６１を返却位置Ｐ２に移動させ、硬貨返却箱６２に硬貨を集積させる。
【００６０】
しかし、本発明の第２の実施形態の変形例１においては、硬貨返却箱６２に硬貨が集積され、利用者によって外側箱６５から内側箱６６が抜き取られたことが図示しないセンサによって検出された後に、制御部９０は、金種別硬貨一時貯留部６１を待機・収納位置Ｐ１に戻す。
【００６１】
かかる構成によれば、硬貨返却箱６２からの硬貨の飛び出しが金種別硬貨一時貯留部６１によって妨げられるため、本発明の第２の実施形態と同様に、硬貨返却箱６２に集積されている硬貨が硬貨返却箱６２の外側に飛び出す可能性を低減することが可能となる。また、シャッタ６７を有することによって、制御部９０は、出金時においては、待機・収納位置Ｐ１から金種別硬貨一時貯留部６１を移動させる必要がないため、出金に要する時間を短くすることが可能となる。
【００６２】
また、シャッタ６７を有することによって、制御部９０は、待機・収納位置Ｐ１と返却位置Ｐ２との二箇所の間で金種別硬貨一時貯留部６１を移動させればよいため、待機位置Ｐ０と収納位置Ｐ１と返却位置Ｐ２との三箇所の間で金種別硬貨一時貯留部６１を移動させる場合と比較して、金種別硬貨一時貯留部６１の移動幅を短くすることが可能となる。したがって、硬貨処理装置１０のサイズを小さくすることが可能となる。
【００６３】
（５．第２の実施形態の変形例２の説明）
続いて、本発明の第２の実施形態の変形例２について説明する。図１１は、本発明の第２の実施形態の変形例２に係る金種別硬貨一時貯留部６１およびその周辺の拡大図である。図１０に示すように、本発明の第２の実施形態の変形例２においても、本発明の第２の実施形態の変形例１と同様に、硬貨処理装置１０が、金種別硬貨一時貯留部６１とガイド６３との間にシャッタ６７を有している。
【００６４】
シャッタ６７は、制御部９０の制御に従って、金種別硬貨一時貯留部６１から金種別出金ホッパ７０への硬貨の送り出しを妨げない位置、かつ、金種別硬貨一時貯留部６１に硬貨を一時保留させる位置（以下、「待機・収納位置」と言う。）ｐ３に移動され得る。シャッタ６７が待機・収納位置ｐ３に配置されている間は、金種別硬貨一時貯留部６１から硬貨返却箱６２への硬貨の送り出しが妨げられる。
【００６５】
また、シャッタ６７は、制御部９０の制御に従って、金種別硬貨一時貯留部６１から硬貨返却箱６２への硬貨の送り出しを妨げない位置（以下、「返却位置」と言う。）ｐ４に移動され得る。シャッタ６７が返却位置ｐ４に配置されている間は、金種別硬貨一時貯留部６１から金種別出金ホッパ７０への硬貨の送り出しが妨げられる。
【００６６】
また、第２の実施形態の変形例２においては、金種別硬貨一時貯留部６１が硬貨返却箱６２に硬貨を送り出し可能な返却位置が、硬貨の送り出しを一時保留する位置も兼ねている。そこで、以下では、かかる位置を「待機・返却位置Ｐ３」と表す。また、第２の実施形態の変形例２においては、金種別硬貨一時貯留部６１は、硬貨返却箱６２に硬貨を送り出し可能な収納位置Ｐ４に移動され得る。
【００６７】
そして、本発明の第２の実施形態の変形例２においては、入金返却時において、金種別硬貨一時貯留部６１が待機・返却位置Ｐ３に配置され、シャッタ６７が待機・収納位置ｐ３に配置される。そして、金種別硬貨一時貯留部６１によって、硬貨が一時保留された後、制御部９０は、シャッタ６７を返却位置ｐ４に移動させ、硬貨返却箱６２に硬貨を集積させる。
【００６８】
そして、本発明の第２の実施形態の変形例２においては、硬貨返却箱６２に硬貨が収納されると、利用者によって外側箱６５から内側箱６６が抜き取られたことが図示しないセンサによって検出された後に、制御部９０は、シャッタ６７を待機・収納位置ｐ３に戻す。
【００６９】
かかる構成によれば、硬貨返却箱６２からの硬貨の飛び出しが金種別硬貨一時貯留部６１によって妨げられるため、本発明の第２の実施形態と同様に、硬貨返却箱６２に集積されている硬貨が硬貨返却箱６２の外側に飛び出す可能性を低減することが可能となる。また、シャッタ６７を有することによって、制御部９０は、出金時においては、待機・返却位置Ｐ３から金種別硬貨一時貯留部６１を移動させる必要がないため、入金返却に要する時間を短くすることが可能となる。
【００７０】
また、シャッタ６７を有することによって、制御部９０は、待機・返却位置Ｐ３と収納位置Ｐ４との二箇所の間で金種別硬貨一時貯留部６１を移動させればよいため、待機位置Ｐ０と収納位置Ｐ１と返却位置Ｐ２との三箇所の間で金種別硬貨一時貯留部６１を移動させる場合と比較して、金種別硬貨一時貯留部６１の移動幅を短くすることが可能となる。したがって、硬貨処理装置１０のサイズを小さくすることが可能となる。
【００７１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００７２】
上記においては、硬貨処理装置１０が有する硬貨返却箱６２を例に挙げながら説明したが、本発明の実施形態は、硬貨返却箱６２の代わりに、他の箱（例えば、硬貨出金部８０など）にも適用され得る。すなわち、本発明の実施形態は、利用者によって引き出し可能であり、外側箱６５と、外側箱６５の内側に着脱可能に設けられる内側箱６６とを有する集積部に対して、広く適用されることが可能である。例えば、本発明の実施形態は、両替機などにも適用され得る。
【００７３】
また、硬貨処理装置１０の動作全体を制御するための制御部９０は、専用のハードウェアによって構成されてもよいし、硬貨処理装置１０に内蔵されたＣＰＵ（Ｃｅｎｔｒａｌ  Ｐｒｏｃｅｓｓｉｎｇ  Ｕｎｉｔ）がＲＯＭ（Ｒｅａｄ  Ｏｎｌｙ  Ｍｅｍｏｒｙ）に記憶されたプログラムをＲＡＭ（Ｒａｎｄｏｍ  Ａｃｃｅｓｓ  Ｍｅｍｏｒｙ）に展開して実行することにより実現されてもよい。かかるプログラムが提供され得る他、かかるプログラムを記憶させた記憶媒体も提供され得る。
【符号の説明】
【００７４】
１０    硬貨処理装置
２０    硬貨投入部
２１    硬貨投入口
２２    部
３０    入金搬送路
４０    硬貨認識部
５０    リジェクト硬貨返却部
５１    扉
５６    硬貨選別部
６１    金種別硬貨一時貯留部
６１ａ  保留部
６２    硬貨返却箱
６２２  突出部
６３    ガイド
６４    把持部
６５    外側箱
６６    内側箱
６６１  硬貨蓄積部材
６６２  孔部
６７    シャッタ
７０    金種別出金ホッパ
７１ａ  金種別ホッパ
８０    硬貨出金部
８４    硬貨回収庫
９０    制御部
【図１】
0006477277.tif 000002
【図２】
0006477277.tif 000003
【図３】
0006477277.tif 000004
【図４】
0006477277.tif 000005
【図５】
0006477277.tif 000006
【図６】
0006477277.tif 000007
【図７】
0006477277.tif 000008
【図８】
0006477277.tif 000009
【図９】
0006477277.tif 000010
【図１０】
0006477277.tif 000011
【図１１】
0006477277.tif 000012